(57)【要約】      （修正有）【課題】製品の機能が豊かであり、使用が便利な多機能のＵＳＢディスクを提供する。【解決手段】プラスチックハウシング１００および記憶モジュールを備え、プラスチックハウシングの一端に三端子コネクタ２００が回転可能に連接され、プラスチックハウシングの一面に三端子コネクタを収納するための収納溝１０１が備わる。三端子コネクタの第一端子がＵＳＢインターフェースであり、三端子コネクタの第二端子がマイクロＵＳＢインターフェースであり、三端子コネクタの第三端子がミニＵＳＢインターフェースである。プラスチックハウシング内に電池および無線通信モジュールが設置され、プラスチックハウシングの中部に読み書き表示灯３１０及び無線状態表示灯３２０が設置され、プラスチックハウシングの側面に無線通信モジュールを制御するためのボタンスイッチが設置される。プラスチックハウシングの他端に照明発光部４１０及びスイッチ４２０が設置され、プラスチックハウシングに着脱式電池室カバー１１０が連接される。【選択図】図１
0003197659.tif 000002
【実用新案登録請求の範囲】
【請求項１】
プラスチックハウシングおよび前記プラスチックハウシング内に設置された記憶モジュールを備える複数インターフェースを有するＵＳＢディスクであって、前記プラスチックハウシングの一端に三端子コネクタが回転可能に連接され、前記三端子コネクタがフレキシブル回路基板を介して前記記憶モジュールに連接され、前記プラスチックハウシングの一面に前記三端子コネクタを収納するための収納溝が備わり、前記三端子コネクタの第一端子がＵＳＢインターフェースであり、前記三端子コネクタの第二端子がマイクロＵＳＢインターフェースであり、前記三端子コネクタの第三端子がミニＵＳＢインターフェースであり、前記プラスチックハウシング内に電池および前記電池に連接された無線通信モジュールが設置され、前記無線通信モジュールがＷＩＦＩまたはブルートゥースモジュールであり、前記プラスチックハウシングの中部に読み書き表示灯及び前記無線モジュールの作動状態を表示するための無線状態表示灯が設置され、前記プラスチックハウシングの側面に前記無線通信モジュールを制御するためのボタンスイッチが設置され、前記プラスチックハウシングの他端に照明発光部及び前記照明発光部を制御するためのスイッチが設置され、前記プラスチックハウシングに着脱式電池室カバーが連接され、前記電池がボタン電池であり、且つ、前記電池室カバーの内側に設置されることを特徴とする複数インターフェースを有するＵＳＢディスク。
【請求項２】
前記プラスチックハウシング内にＧＰＳモジュールが設置されることを特徴とする請求項１に記載の複数インターフェースを有するＵＳＢディスク。
【考案の詳細な説明】
【技術分野】
【０００１】
本考案は、リムーバブル記憶設備の技術分野に関し、特に、複数インターフェースを有するＵＳＢディスクに関する。
【背景技術】
【０００２】
従来のＵＳＢディスクは、一般的に、一つのＵＳＢ差し込み口を備え、且つ、製品の機能が単一であり、ユーザーにとって使用が不便になる。
【考案の概要】
【考案が解決しようとする課題】
【０００３】
本考案は、上記の従来技術の欠陥を克服し、製品の機能が豊かであり、使用が便利である複数インターフェースを有するＵＳＢディスクを提供することを目的とする。
【課題を解決するための手段】
【０００４】
本考案は、プラスチックハウシングおよび前記プラスチックハウシング内に設置された記憶モジュールを備える複数インターフェースを有するＵＳＢディスクであって、前記プラスチックハウシングの一端に三端子コネクタが回転可能に連接され、前記三端子コネクタがフレキシブル回路基板を介して前記記憶モジュールに連接され、前記プラスチックハウシングの一面に前記三端子コネクタを収納するための収納溝が備わり、前記三端子コネクタの第一端子がＵＳＢインターフェースであり、前記三端子コネクタの第二端子がマイクロＵＳＢインターフェースであり、前記三端子コネクタの第三端子がミニＵＳＢインターフェースであり、前記プラスチックハウシング内に電池および前記電池に連接された無線通信モジュールが設置され、前記無線通信モジュールがＷＩＦＩまたはブルートゥースモジュールであり、前記プラスチックハウシングの中部に読み書き表示灯及び前記無線モジュールの作動状態を表示するための無線状態表示灯が設置され、前記プラスチックハウシングの側面に前記無線通信モジュールを制御するためのボタンスイッチが設置され、前記プラスチックハウシングの他端に照明発光部及び前記照明発光部を制御するためのスイッチが設置され、前記プラスチックハウシングに着脱式電池室カバーが連接され、前記電池がボタン電池であり、且つ、前記電池室カバーの内側に設置される複数インターフェースを有するＵＳＢディスクである。
【０００５】
具体的には、前記プラスチックハウシング内にＧＰＳモジュールが設置される。
【考案の効果】
【０００６】
本考案の実施形態によるＵＳＢディスクは、回転可能な三端子コネクタを設置することにより、コンピュータ、携帯電話、タブレットコンピュータ等の設備に直接に用いられることができ、使用が非常に便利になる。コンピュータ、携帯電話、タブレットコンピュータ等の設備が、無線通信モジュールによってこのＵＳＢディスクにアクセスし、データを読み取るまたは書き込むことができる。製品の機能が豊かであり、使用が便利になる。
【図面の簡単な説明】
【０００７】
【図１】図１は、本考案の実施形態による複数インターフェースを有するＵＳＢディスクの概略平面図である。
【考案を実施するための形態】
【０００８】
本考案の目的、技術手段及び利点を更に明瞭にするために、以下、図面及び実施形態を参照しながら、本考案について一層詳細に説明する。なお、ここで説明される特定の実施形態は、本考案を釈明するためのものにすぎなく、本考案を限定しないものであると認められる。
【０００９】
図１に示すように、本考案の実施形態による複数インターフェースを有するＵＳＢディスクは、プラスチックハウシング１００および前記プラスチックハウシング１００内に設置された記憶モジュール等（フラッシュメモリチップ）を備える。前記プラスチックハウシング１００の一端には、三端子コネクタ２００が回転可能に連接される。前記三端子コネクタ２００は、「Ｔ」形状を呈してもよい。前記三端子コネクタ２００は、フレキシブル回路基板を介して、前記記憶モジュールに連接される。前記プラスチックハウシング１００の一面には、前記三端子コネクタ２００を収納するための収納溝１０１が備わる。ＵＳＢディスクを使用しない場合、三端子コネクタ２００を反転して収納溝１０１に嵌めることができ、携帯が便利になるようにする。前記三端子コネクタ２００は、第一端子がＵＳＢインターフェース（ＵＳＢ３．０インターフェース）である。前記三端子コネクタ２００は、第二端子がマイクロＵＳＢインターフェース（Ｍｉｃｒｏ  ＵＳＢインターフェース、ＵＳＢ２．０標準の通用携帯版の一つ）である。前記三端子コネクタ２００は、第三端子がミニＵＳＢインターフェース（Ｍｉｎｉ  ＵＳＢインターフェース、ＵＳＢ２．０標準の通用携帯版の一つ）またはアップル社の携帯電話とマッチするインターフェースである。このように、ＵＳＢディスクは、コンピュータ、携帯電話、タブレットコンピュータ等の設備に直接に用いられることができる。前記プラスチックハウシング１００内には、電池および前記電池に連接された無線通信モジュールが設置される。前記無線通信モジュールは、ＷＩＦＩまたはブルートゥースモジュールである。このように、携帯電話またはタブレットコンピュータ等は、ＷＩＦＩによってこのＵＳＢディスクにアクセスし、データを読み取るまたは書き込むことができ、使用が非常に便利になる。前記プラスチックハウシング１００の中部には、読み書き表示灯３１０及び前記無線モジュールの作動状態を表示するための無線状態表示灯３２０が設置される。読み書き表示灯３１０及び無線状態表示灯３２０は、電池に電気的に連接される。無線状態表示灯３２０は、無線インターフェースが有効にされる際に、オンになる。携帯電話等の設備が無線通信モジュールにアクセスする際に、無線状態表示灯３２０はちらつき、ユーザーが便利に識別できるようにする。読み書き表示灯３１０は、テータを読み書きする際に、オンになる。前記プラスチックハウシング１００の側面には、前記無線通信モジュールを制御するためのボタンスイッチが設置され、無線連接を使用する必要がない場合、無線通信モジュールをオフにすることにより、不正侵入を防止でき、安全性が高くなる。
【００１０】
具体的には、前記プラスチックハウシング１００には、着脱式電池室カバー１１０が連接される。前記電池は、ボタン電池であり、且つ、前記電池室カバー１１０の内側に設置され、電池の取り替えが便利になるようにする。
【００１１】
具体的には、前記プラスチックハウシング１００内には、ＧＰＳモジュールが設置され、ＵＳＢディスクの紛失を回避するようにする。
【００１２】
具体的には、前記プラスチックハウシング１００の他端には、照明発光部４１０及び前記照明発光部４１０を制御するためのスイッチ４２０が設置され、ＵＳＢディスクは、懐中電灯のような機能を備える。
具体的には、前記プラスチックハウシング１００の正面には、表示スクリーン（図示せず）が設置されてもよく、普段、時間等の情報を表示でき、無線通信モジュールの連接数等を表示できる。
【００１３】
具体的には、前記プラスチックハウシング１００の表面には、シリコーンゴムカバーが包接してもよく、耐震効果がよくなる。
【００１４】
本考案の実施形態による複数インターフェースを有するＵＳＢディスクは、三端子コネクタ２００を設置することにより、コンピュータ、携帯電話、タブレットコンピュータ等の設備に直接に用いられることができ、使用が非常に便利になる。コンピュータ、携帯電話、タブレットコンピュータ等の設備は、無線通信モジュールによってこのＵＳＢディスクにアクセスし、データを読み取るまたは書き込むことができる。使用しない場合、三端子コネクタ２００を収納溝１０１に反転することができ、携帯が便利になるようにする。製品の機能が豊かであり、使用が便利になる。
【００１５】
以上は、本考案の好適な実施形態にすぎなく、本考案を限定しないものであるが、本考案の要旨を逸脱しない範囲内に加えられる種々の変更、交替及び改良などは、請求の範囲に記載された範疇に属すべきである。
【図１】
0003197659.tif 000003